(57)【要約】【課題】標識が長期間も放置されて土砂等に埋もれたり、その周囲に雑草が生えて、埋設した位置がわからなくなったりした場合や、またその標識が、何のための標識であるのかや、土地の有権者が誰であるのかなどがわからなくなったとしても、標識に種々の情報を記憶させ、また記憶させた情報を地上から簡単に読み取り可能とすることで、地面に埋設された標識に関する属性情報を収集できるようにした標識を提供する。【解決手段】地表側に上面を露出させた状態で地面に埋設するための標識であって、前記標識には、前記標識の外部から非接触方式により情報の書き込み及び読み取りが可能な非接触記憶媒体が内蔵されている。【選択図】        図１
2004251859.tif 000002
【特許請求の範囲】
【請求項１】
地表側に上面を露出させた状態で地面に埋設するための標識であって、
前記標識には、前記標識の外部から非接触方式により情報の書き込み及び読み取りが可能な非接触記憶媒体が内蔵されていることを特徴とする標識。
【請求項２】
前記標識には、前記非接触記憶媒体を収納するための収納部が設けられていることを特徴とする請求項１記載の標識。
【請求項３】
前記非接触記憶媒体が、非接触ＩＣカードまたは非接触ＩＣタグであることを特徴とする請求項１または２項に記載の標識。
【請求項４】
前記標識が、隣接する土地の境界を標示するための土地境界標、または測量標識、または地中埋設物を標識するための地上標識のいずれかであることを特徴とする請求項１または２項に記載の標識。
【発明の詳細な説明】
【０００１】
【発明の属する技術分野】
本発明は、隣接する土地の境界を標示するための土地境界標、または測量標識、または地中埋設物を標識するための地上標識などの地面に埋設して用いる標識に関する。
【０００２】
【従来技術】
従来、隣接する土地の境界を標示するための土地境界標、または測量標識、または地中埋設物を標識するための地上標識などの地面に埋設して用いる標識は、例えば、石材、コンクリート、プラスチック等の構造体からなり、これらの構造体の一部を地表面から目視できる状態として地面に埋設することで目的に応じた位置の確認などが行なえるようにしている。
【０００３】
これらの標識は、地面に埋設して設置した後に長期間も放置されることが多く、長年の間に土砂等に埋もれたり、その周囲に雑草が生えて、埋設した位置がわからなくなったりする場合が生じたり、またその標識が、何のための標識であるのかや、土地の有権者が誰であるのかなど、標識を見ただけではわからないという問題などがある。
このような問題に対応する従来技術として、感知装置に対して感知する被感知物を、標識の構造体内に設け、地上から地中に埋設された標識を探し出すことができるようにした発明など既に知られている。（参考文献１及び２）
【０００４】
しかしながら、これら従来の技術では、地上から地中に埋設された標識を探し出すことは可能であっても、その標識に種々の情報を記憶させることが不可能であるので、図面や資料を見ながら標識毎に確認しなければならず、間違えが生じる危険性があったり、確認のための効率が悪いという問題がある。
例えば、図面上に表示された標識と、実際に土地に埋設された標識の位置を間違えた場合には、土地の権利関係にトラブルが発生したり、地中埋設物を標識するための地上標識を見落とした場合には、土木工事などで事故が発生する危険性があるという問題もある。
【０００５】
【特許文献１】
特開平９−１５９４５３
特開平８−２７８１３６
【０００６】
【発明が解決しようとする課題】
そこで、本発明は、標識が長期間も放置されて土砂等に埋もれたり、その周囲に雑草が生えて、埋設した位置がわからなくなったりした場合や、またその標識が、何のための標識であるのかや、土地の有権者が誰であるのかなどがわからなくなったとしても、標識に種々の情報を記憶させ、また記憶させた情報を地上から簡単に読み取り可能とすることで、地面に埋設された標識に関する属性情報を収集できるようにした標識を提供する。
【０００７】
【課題を解決するための手段】
上記課題を解決するために、本発明の標識は、地表側に上面を露出させた状態で地面に埋設するための標識であって、前記標識には、前記標識の外部から非接触方式により情報の書き込み及び読み取りが可能な非接触記憶媒体が内蔵されていることを特徴とする。
【０００８】
また、本発明の標識は、前記標識には、前記非接触記憶媒体を収納するための収納部が設けられていることを特徴とする。
【０００９】
更に、本発明の標識は、前記非接触記憶媒体が、非接触ＩＣカードまたは非接触ＩＣタグであることを特徴とする。
【００１０】
また、本発明の標識は、前記標識が、隣接する土地の境界を標示するための土地境界標、または測量標識、または地中埋設物を標識するための地上標識のいずれかであることを特徴とする。
【００１１】
【発明の実施の形態】
以下、本発明の実施の形態を図面に基づいて詳細に説明する。
図１は、本発明の実施形態に係る標識の斜視図、図２は、図１のＡ−Ａ線横断面図、図３は、図１の一部縦断面図、図４は、本発明の実施形態に係る標識に非接触ＩＣカードを設置する場合を説明する図、図５は、非接触ＩＣカードの平面図、図６は、本発明の実施形態に係る標識の使用状態を説明するための図、図７は、本発明の実施形態に係る標識に内蔵された非接触ＩＣカードのシステムブロック図、図８は、本発明の実施形態に係る標識の他の使用例を示す斜視図である。
【００１２】
図１には、本発明の実施形態に係る標識であって、隣接する土地の境界を標示するための土地境界標からなる標識１が示されている。
この土地境界標からなる標識１は、石材、プラスチック、コンクリート、セラミック等の素材により成形されている。
標識１の上面側には、標識線２が表示され、また下方部分は、上面を地表側に露出させた状態で地面内に対して杭打ちして埋設できるように、鋭角状に形成されている。
【００１３】
また、標識１の一部には、非接触記憶媒体である非接触ＩＣカード３を収納可能な空間からなる収納部４が設けられ、図４に示すように、この収納部４に対して非接触ＩＣカード３を挿入して設置または取り出しができるようにしてある。この収納部４には、開閉可能な扉５が設けられ、収納部４に収納された非接触ＩＣカード３が不用意に取り出されないようにしてある。
また、この収納部４を設ける場所は、収納部４に収納された非接触ＩＣカード３とＩＣカードリーダライタとの無線によるデータ書き込みや読み取りを行なえるように、できるだけ標識１の上面に近い位置に設けることが好ましい。
【００１４】
非接触記憶媒体である非接触ＩＣカード３は、図５に示すように、カード基材本体内に、ＩＣ６と、このＩＣ６に接続されたアンテナコイル７とが内蔵され、このアンテナコイル７により外部のＩＣカードリーダライタと電波で通信できるように構成されている。
また、非接触記憶媒体は、非接触ＩＣカード３に限定されるものではなく、非接触ＩＣタグのように非接触によりデータの送受信およびデータの記憶が行なえる機能を有する媒体であれば適応可能である。
また、標識１の一部に形成された収納部４の空間も、非接触記憶媒体の大きさに応じて適宜定めることができる。
例えば、非接触ＩＣタグのように小型サイズの非接触記憶媒体では、標識１の一部に形成された収納部４の空間も、非接触ＩＣカード３を収納するよりも小さな空間を設けることが可能になる。
【００１５】
非接触記憶媒体である非接触ＩＣカード３には、図７に示すように、ＩＣカードリーダライタ等の外部デバイスと通信を行なう為のアンテナコイル７と、非接触インターフェース８と、ＣＰＵ９と、不揮発性メモリであるＥＥＰＲＯＭ１０及びＲＯＭ１１と、揮発性メモリであるＲＡＭ１２とが備えられている。
非接触ＩＣカード３は、ＩＳＯにおける非接触ＩＣカード規格の密着型（ＩＳＯ  １０５３６）、近接型（ＩＳＯ  １４４４３）、近傍型（ＩＳＯ  １５６９３）のいずれを用いても良いが、ＩＣカードリーダライタ１３を手に持って地面に埋設された標識１に近づけることを考慮すると、通信距離の長い近傍型を用いることが情報の書き込みや読み取りの際に作業性がよく好ましい。
また、ＩＣカードリーダライタ１３から非接触ＩＣカード３に対して、電波によるデータ書き込みや読み取りを行なえるように、通信時に使用される電波が遮断されないような適切な位置に非接触ＩＣカード３を設けることが好ましい。
【００１６】
非接触ＩＣカード３のＥＥＰＲＯＭ１０は、標識１の属性情報などが記憶され、ＲＯＭ１１には、予め処理手順などのプログラムが記憶され、ＲＡＭ１２には、作業用情報などが記憶される。
【００１７】
次に、本発明に係る標識１に所望の情報を書き込んで記憶させる方法について説明する。
まず、例えば標識１が土地境界標であるとすると、土地境界標の属性情報等が記憶されていない非接触ＩＣカード３を土地境界標の収納部内に備えておき、地面の所定位置にその土地境界標を埋設させた後、図６に示すように、ＩＣカードリーダライタ１３を土地境界標に近づけ、土地境界標の属性情報等をＩＣカードリーダライタ１３から非接触ＩＣカード３のＥＥＰＲＯＭ１０に書き込む方法がある。
【００１８】
また、他の方法としては、非接触ＩＣカード３を土地境界標の収納部内に挿入する前の段階で、土地境界標の属性情報等をＩＣカードリーダライタ１３から非接触ＩＣカード３のＥＥＰＲＯＭ１０に書き込んだ後、土地境界標の収納部内に非接触ＩＣカード３を挿入し、その後に、地面の所定位置にその土地境界標を埋設させる方法がある。
土地境界標の属性情報としては、例えば、位置座標情報、標高情報、土地所有権者情報、建蔽率、容積率、土地所有権以外の権利関係などがある。
このような情報を土地境界標の非接触ＩＣカード３に記憶させておけば、当該土地又はその周辺で家屋の建築工事や、道路建設や、土木工事が行われる際に、ＩＣカードリーダライタ１３でこれらの情報を読み取って活用することができる。
【００１９】
また、地面に埋設された土地境界標等の標識１に関する属性情報等を読みたい場合には、図６に示すように、ＩＣカードリーダライタ１３を地面に埋設された標識１に近づけることで、標識１内に設けられている非接触ＩＣカード３のＥＥＰＲＯＭ１０に記憶されている属性情報等をＩＣカードリーダライタ１３で読み取り、ＩＣカードリーダライタ１３の表示部に表示させることで知らせることができる。
【００２０】
本発明に係る標識としては、隣接する土地の境界を標示するための土地境界標の他に、測量標識、または地中埋設物を標識するための地上標識などがあり、これらいずれの標識にも、標識内に非接触記憶媒体が内蔵されているので、その目的に応じた所望の情報を書き込んで記憶させ、更にこれらの情報を必要な時に非接触により読み取ることができるものである。
【００２１】
図８には、本発明に係る標識を、地中埋設物を標識するための地上標識１４として用いた場合が示されている。
この地上標識１４では、上面にガス管に関する表示がされていて、地中に埋設されているガス管の設置位置がわかるようにしてある。
このような地上標識１４としては、ガス管の他に地中に埋設された水道管、地中送電線などの地中埋設物に関する位置の標識として用いる場合がある。
【００２２】
また、非接触ＩＣカード３に暗号機能を持たせ、ＩＣカードリーダライタ１３との通信の際に相互認証及び通信内容の電子鍵による暗号化を行なうことにより、非接触ＩＣカード３に記憶された情報が権限の無い者に読み取られることを防止できるようにすることもできる。
【００２３】
【発明の効果】
以上説明したように、本発明の標識は、標識の内部に情報記憶可能な記憶媒体が設けられているので、各標識毎に種々の情報を記憶させ、また記憶させた情報を簡単に読み取り確認することができるという効果がある。
【図面の簡単な説明】
【図１】本発明の実施形態に係る標識の斜視図である。
【図２】図１のＡ−Ａ線横断面図である。
【図３】図１の一部縦断面図である。
【図４】本発明の実施形態に係る標識に非接触ＩＣカードを設置する場合を説明する図である。
【図５】非接触ＩＣカードの平面図である。
【図６】本発明の実施形態に係る標識の使用状態を説明するための図である。
【図７】本発明の実施形態に係る標識に内蔵された非接触ＩＣカードのシステムブロック図である。
【図８】本発明の実施形態に係る標識の他の使用例を示す斜視図である。
【符号の説明】
１  標識
２  標識線
３  非接触ＩＣカード
４  収納部
５  扉
６  ＩＣ
７  アンテナコイル
８  非接触インターフェース
９  ＣＰＵ
１０  ＥＥＰＲＯＭ
１１  ＲＯＭ
１２  ＲＡＭ
１３  ＩＣカードリーダライタ
【図１】
2004251859.tif 000003
【図２】
2004251859.tif 000004
【図３】
2004251859.tif 000005
【図４】
2004251859.tif 000006
【図５】
2004251859.tif 000007
【図６】
2004251859.tif 000008
【図７】
2004251859.tif 000009
【図８】
2004251859.tif 000010